(57)【要約】【課題】釣り人が希望するポイントに仕掛けを正確に降ろすことができるとともに、仕掛けに魚が掛かった際に、浮体の安定を妨げることがなく、また、浮体回収糸を釣り人が手元に引き寄せるだけで浮体を回収でき、また釣り人が魚を釣り上げるときの手応えを道糸および釣り竿を通じて十分に感じ取ることができようにする。【解決手段】浮体１１を推進させるスクリュー１９を駆動するモータ１３と、仕掛け付近で道糸Ｍを係脱可能に係止し、この道糸Ｍの係止を解除したとき仕掛けを水中に投入可能にする道糸係脱機構１４と、モータ１３の駆動停止および道糸係脱機構１４による道糸Ｍの係止解除のタイミングを設定するタイマー１５と、浮体１１に一端が止着され、他端側を釣り人の手元側へ引き寄せるように用いられる浮体回収糸Ｋと、を備える構成である。【選択図】図１
0003196066.tif 000002
【実用新案登録請求の範囲】
【請求項１】
水面の所定のポイントに浮体を移動させ、この浮体から道糸に繋がれた仕掛けを水中に降ろして魚釣りをする魚吊り装置であって、
前記浮体を推進させるスクリューを駆動するモータと、
前記仕掛け付近で前記道糸を係脱可能に係止し、この道糸の係止を解除したとき前記仕掛けを水中に投入可能にする道糸係脱機構と、
前記モータの駆動停止および前記道糸係脱機構による道糸の係止解除のタイミングを設定するタイマーと、
前記浮体に一端が止着され、他端側を釣り人の手元側へ引き寄せるように用いられる浮体回収糸と、
を備えることを特徴とする魚吊り装置。
【請求項２】
前記浮体回収糸が水面に浮かぶ性質のものであることを特徴とする請求項１記載の魚吊り装置。
【請求項３】
前記浮体が発泡スチロール製であることを特徴とする請求項１記載の魚吊り装置。
【考案の詳細な説明】
【技術分野】
【０００１】
本考案は、川や海で、道糸に取り付けられた仕掛けを目標と定めたポイントに投入して魚釣りを楽しむための魚釣り装置に関する。
【背景技術】
【０００２】
従来から、魚釣り用の道糸を巻いたリールを装着した釣竿や撒き餌の仕掛けを装備した船体を、遠隔操作によって指定した釣ポイント（以下、ポイントと略称する）に移動させて釣りをする魚吊り装置（例えば、特許文献１参照）や、スクリュー用、舵用などの駆動装置の電源およびこの駆動装置の制御回路を搭載した模型ボートと操作装置とを、制御信号の伝達および模型ボートの曳航を兼ねるコードで連繋した魚吊り装置（例えば、特許文献２参照）などが提案されている。
【０００３】
これらの魚吊り装置によれば、釣り人が川や海のポイントに仕掛けを投入するために、足場の悪い場所に釣竿を持って移動し、釣竿を振り込んで手元のリールから道糸を繰り出しながら仕掛けをポイントに投げ入れるという従来のような面倒な作業を省くことができるほか、仕掛けに取り付けた釣り餌が前記投げ入れ時の空気抵抗を受けて釣り鈎から抜け落ちたり、水中への投入時の衝撃を受けて、釣り餌が水中で分解したり、あるいは錘の慣性力を受けて道糸が切れたりするのを、未然に回避できるメリットが得られる。
【先行技術文献】
【特許文献】
【０００４】
【特許文献１】特開平５‐９５７５０号公報
【特許文献２】特許第２９５２８２５号公報
【考案の概要】
【考案が解決しようとする課題】
【０００５】
しかしながら、かかる従来の魚吊り装置にあっては、道糸が浮体としての船体や模型ボートに支持されているため、仕掛けに掛かった魚が大形であると、魚の引込み力を受けて船体や模型ボートが転覆し、水中に沈んで回収が困難になる場合があるほか、魚の釣り上げ作業をスムースに行えなくなるという不具合があった。また、模型ボートと操作装置との間で送受される制御信号の伝送にコードを用いた前記ケースでは、コードの自重と曳航時の水抵抗に逆らうだけの大きな動力手段を模型ボートに設置する必要があるほか、船体の円滑な推進動作を妨げるという不都合があった。さらに、前記いずれの魚吊り装置にあっても、釣り人は釣竿を持って道糸を操作することがないので、魚を釣り上げるときの手応えを感じることができず、魚釣りの醍醐味を味わうことができないという不都合があった。
【０００６】
本考案は前述のような従来の問題点を解消するものであり、その目的とするところは、仕掛けを水中に投入する際道糸を浮体から分離することで、水面における浮体の移動を自由にするとともに、仕掛けに魚が掛かった際に、魚の引込み力
が浮体に影響することを回避でき、さらに釣り人が魚の引込み力による手応えを十分に感じることができる魚吊り装置を得ることにある。
【課題を解決するための手段】
【０００７】
前記目的達成のために、本考案にかかる魚吊り装置は、水面の所定のポイントに浮体を移動させ、この浮体から道糸に繋がれた仕掛けを水中に降ろして魚釣りをする魚吊り装置であって、前記浮体を推進させるスクリューを駆動するモータと、前記仕掛け付近で前記道糸を係脱可能に係止し、この道糸の係止を解除したとき前記仕掛けを水中に投入可能にする道糸係脱機構と、前記モータの駆動停止および前記道糸係脱機構による道糸の係止解除のタイミングを設定するタイマーと、前記浮体に一端が止着され、他端側を釣り人の手元側へ引き寄せるように用いられる浮体回収糸と、を備えることを特徴とする。
【０００８】
この構成により、釣り竿に結ばれた道糸端部の仕掛け（釣り鈎）に釣り餌を付け、この仕掛け付近で道糸を道糸係脱機構に係止することで、浮体を水面に浮かべて移動させたとき仕掛けを浮体とともに水面に移動可能にする。そして、水面に浮体を浮かべる前後に、モータの駆動停止および道糸係脱機構による道糸の係止解除の各タイミングを、タイマーのセット操作により設定した上で、モータを駆動させる。これにより、スクリューが回転し、浮体が水面上に走行開始する。一方、浮体はタイマーで設定した時間になると、つまりポイント（目標位置）に達すると、モータの駆動が自動停止され、これに並行して道糸係脱機構が作動して道糸の前記係止を解除する。
【０００９】
従って、道糸を分離した浮体はフリーとなり、その道糸に付けられている仕掛けが錘の重みで水面に向って落下し、さらに水中に沈んでいく。これにより、仕掛けを簡単にポイントに投入することができ、この投入によって仕掛けの釣り鈎に付けた釣り餌が空気や水の抵抗を大きく受けることなく、所期の形を保ったまま水中に沈むこととなり、従って、餌落ちの心配はない。また、魚が釣り鈎に掛かった際には、魚の引込み力を道糸を通じて釣り人の手に感じ取ることができ、釣りの醍醐味を十分に味わうことができる。
【００１０】
また、本考案にかかる魚吊り装置は、前記浮体回収糸が水面に浮かぶ性質のものであることを特徴とする。これにより、浮体回収糸を釣り人がいる位置に手繰り寄せることによって浮体を回収する際に、水面にある浮体回収糸が水中にある道糸と絡まる惧れは全くなく、浮体の釣り人の手元への浮体の回収や道糸のリールへの巻き取りをスムースにかつ迅速に実施できる。
【００１１】
また、本考案にかかる魚吊り装置は、前記浮体が発泡スチロール製であることを特徴とする。これにより、浮体を簡単かつ安価に得ることができとともに、魚型に形成したものでは、水中を泳ぐ魚に異物感、警戒感を与えるのを防ぐことができる。
【考案の効果】
【００１２】
本考案によれば、釣り人が希望するポイントに仕掛けを正確に降ろすことができるとともに、仕掛けに魚が掛かった際に、浮体の安定を妨げることがなく、また、浮体回収糸を釣り人が手元に引き寄せるだけで浮体を回収でき、また釣り人が魚を釣り上げるときの手応えを道糸および釣り竿を通じて十分に感じ取ることができる。
【００１３】
以上、本考案について簡潔に説明した。更に、以下に本考案を実施するための最良の形態を添付の図面を参照して、詳細に説明する。
【図面の簡単な説明】
【００１４】
【図１】本考案の実施形態による魚吊り装置を概念的に示す側面図である。
【図２】図１に示す魚吊り装置の背面図である。
【図３】図１におけるタイマーのダイヤルを示す平面図である。
【考案を実施するための形態】
【００１５】
以下、本考案の実施の形態による魚吊り装置を、図面を参照して説明する。図１および図２は本実施の形態による魚吊り装置を概念的に示す。この魚吊り装置Ａは、浮体１１にバッテリ１２と、モータ１３と、道糸係脱機構１４と、タイマー１５と、制御回路１６とを備えて構成される。これらのうち浮体１１は比重が小さい素材である発泡スチロールの成形品として、全長が略２０センチ以内の魚形に作られている。従って、この浮体１１は水面下に沈み込むことはなく、少なくとも上半部は水面上に露出可能となっている。これらのバッテリ１２、モータ１３、道糸係脱機構１４、タイマー１５および制御回路１６を含む電気系統は浮体１１内に水密、状態にて収納されている。これにより電気系統の絶縁劣化を回避可能にしている。
【００１６】
この浮体１１は魚形であり、水面における水平姿勢を安定に保持可能とするために、左右両側面（図上、前後面）には所定の形状、厚み、広さを持つウイング１７が略水平方向に突設されている。また、魚形の浮体１１を水面のポイント（目標位置）に向って真っ直ぐに舵取りさせるために、この浮体１１の下面（底面）に所定の形状、厚み、広さを持つラダー１８が垂直方向に突設されている。なお、ウイング１７やラダー１８は浮体全体とのバランスを考慮して、その形状、サイズおよび位置が決められるが、魚体が持つ形態に類似させることが望ましい。
【００１７】
バッテリ１２は、浮体１１に設置される各種の電気系統、本実施形態ではモータ１３、道糸係脱機構１４、タイマー１５、制御回路１６に電力を供給するためのものであり、例えば交換、取り扱いが容易で安価な１個または複数個の単３電池が用いられる。モータ１３はバッテリ電圧を受けて駆動される小型の直流モータであり、このモータ１３の駆動軸には、浮体１１の外部に露出して回転するスクリュー１９が連結されている。このスクリュー１９は浮体１１の後端部に形成された凹所１１ａ内に臨んでおり、浮体１１が水面に浮かべられたときに水中に浸漬可能となっている。
【００１８】
道糸係脱機構１４は、水平の支軸２０を中心に往復回動自在なフック部材２１と、このフック部材２１を回動付勢する回動付勢機構２２とを備えて構成される。このフック部材２１は浮体１１の後方に形成された凹所１１ｂ内に臨んでいる。このフック部材２１の回動領域は例えばフック部材２１のＰ１位置からＰ２位置までの範囲に規制され、フック部材２１がＰ１位置にあるとき、このフック部材２１のフック部２１ａに仕掛け付近の道糸Ｍが係止可能とされている。また、フック部材２１がＰ２位置にあるとき、道糸Ｍはフック部２１ａから外されて、仕掛けの釣り鈎に付けられた釣り餌を錘の重量により水面に落下させるとともに、さら水中に沈下可能とされている。
【００１９】
タイマー１５は図３に示すように時間（距離）設定用のダイヤル２３を有する。このダイヤル２３は浮体１１の上部に露出するように設けられている。このタイマー１５は前記モータ１３の駆動開始から駆動停止までの時間および道糸係脱機構１４による道糸係止解除のタイミングを設定可能にしている。本実施形態では、これらのモータ１３の駆動停止時間および道糸解除のタイミングが同時で、これらを一つのダイヤル２３で設定する場合を示したが、互いに時間的ずれが生じるような機能を持つタイマーを使用することは任意である。ここでは、ダイヤル２３上に５０ｍ、１００ｍ、１５０ｍ、２００ｍの目盛表記がなされており、これらの目盛表記された距離対応のモータ駆動停止の時間設定を、例えばモータ駆動開始後の１０秒では５０ｍなどと、釣り人がダイヤル２３の目盛表示を矢印Ｈに合わせるように回動操作することによって行うことになる。
【００２０】
制御回路１６はバッテリ１２から電力を受けて、タイマー１５にて設定された時間およびタイミングになると前記モータ１３の駆動停止と道糸係脱機構１４による道糸係止解除をコントロールするように機能する。この制御回路１６はマイクロプロセッサ、データメモリ、プログラムメモリ等を有し、予めプログラムされた手順に従って、前述のモータ１３の駆動停止と道糸係脱機構１４による道糸係止解除の動作を制御する。
【００２１】
また、前記浮体１１の一端部（後端部）には、リールを利用してまたは手作業で手元に浮体１１を手繰り寄せるための浮体回収糸Ｋの一端が止着されている。この浮体回収糸Ｋは水面に浮かぶ性質のものが用いられ、例えば、水よりも比重が重い素材であるナイロン糸であっても、その糸の中心部に１０〜１５％程度の空隙が設けられたものでは、この浮体回収糸Ｋの軽量化が図られているので、水面に浮かせることができる。従って、この浮体回収糸Ｋは水中に沈んでいる道糸Ｍに絡まるおそれがなく、魚釣りの邪魔になることはない。この浮体回収糸Ｋは、浮体１１を釣り人の手元に引き寄せるようにして回収するのに有用である。
【００２２】
かかる構成になる魚吊り装置Ａを用いて魚吊りをする場合には、この魚吊り装置Ａが川や海の水面に放たれる。先ず、釣り人は浮体１１の後端に浮体回収糸Ｋの一端を止着し、他端を手元に保持する。また、釣り鈎に釣り餌を付けた仕掛け付近の道糸Ｍを、前記Ｐ１位置にあるフック部材２１のフック部２１ａに、図示のように係止させる。続いて、釣り人は仕掛けを投入すべきポイントを目測によって水面上に求め、そのポイントまでの距離（浮体１１が走行してポイントに達するまでの時間）、つまりモータ１３によって駆動されるスクリュー１９の回転停止時間および道糸係脱装置による道糸解除タイミングを、前述のようなタイマー１５のダイヤル２３の操作によって設定する。
【００２３】
続いて、釣り人は、モータ１３の電源スイッチ（図示しない）の投入によりこのモータ１３を駆動させ、スクリュー１９を回転させて、浮体１１を岸辺から前記ポイントに向けて走行させる。この浮体１１の走行中、底部に設けられているラダー１８はその走行方向に真直ぐ延びているため、浮体１１は道糸Ｍを前述のようにフック部材２１係止したまま、つまり仕掛けを保持したまま水面上を直進する。このとき、釣り鈎に付けられた釣り餌が水面より上部に位置することが特に望ましい。釣り餌が水に溶けるのを回避できるからである。
【００２４】
そして、浮体１１が目標のポイントに達したところで、制御回路１６はモータ１３の駆動を停止させるとともに、道糸係脱機構１４を作動して、フック部材２１を止軸２０を中心に矢印Ｓ方向に回動させる。これにより浮体１１はそのポイント位置で停止するとともに、フック部材２１のフック部２１ａから道糸が自動的に外されて、錘の重量によって仕掛けの釣り鈎に付けられた釣り餌が水面に落下し、さらに水中にゆっくり沈んでいく。このため釣り餌が釣り鈎から外れて落下したり、水中で分解することを避けることができる。また、仕掛けに魚が掛かっても道糸Ｍは浮体１１から分離されているため、浮体１１には道糸Ｍの付加的影響が作用せず、従って、浮体１１が傾いたり転覆したりすることはない。また、釣り人は仕掛けに魚が掛かった時の引込み力を道糸Ｍおよび釣り竿を通して感知でき、釣りの醍醐味を味わうことができる。
【００２５】
一方、フック部材２１から道糸Ｍが分離されると、浮体１１は水面上で魚釣りに全く関与しないフリー状態となる。そこで釣り人は手作業でまたはリールの巻き取り作業によって、浮体回収糸Ｋを手元に手繰り寄せることで、浮体１１を手元に回収することができる。この場合において、浮体回収糸Ｋを手繰り寄せることによって浮体１１を回収する際に、浮体回収糸Ｋが水中の道糸Ｍと絡まる惧れは全くなく、釣り人の手元への浮体１１の回収および道糸Ｍのリールへの巻き取りをスムースにかつ迅速に実施できる。
【００２６】
また、浮体１１が発泡スチロール製であると、これを簡単かつ安価に得られるほか、魚型に形成したものでは、魚に異物感、警戒感を与えるのを回避できる。
【００２７】
以上のように、本実施形態による魚釣り装置は、浮体１１を推進させるスクリュー１９を駆動するモータ１３と、仕掛け付近で道糸Ｍを係脱可能に係止し、この道糸Ｍの係止を解除したとき仕掛けを水中に投入可能にする道糸係脱機構１４と、モータ１３の駆動停止および道糸係脱機構１４による道糸Ｍの係止解除のタイミングを設定するタイマー１５と、浮体１１に一端が止着され、他端側を釣り人の手元側へ引き寄せるように用いられる浮体回収糸Ｋと、を備えたものである。
【００２８】
これにより、川や海で釣り人が希望するポイントに仕掛けを正確に降ろすことができるとともに、仕掛けに魚が掛かった際にも、浮体１１の安定を維持したまま、道糸Ｍを引き寄せるだけで、魚を釣り人の手元で釣り上げることができ、また釣り人が魚を釣り上げるときの手応えを道糸Ｍや釣竿を通じて十分に感じることができる。
【産業上の利用可能性】
【００２９】
本考案の魚釣り装置は、仕掛けを水中に投入した後は浮体をフリーにして手元に回収可能にするとともに、仕掛けの釣り鈎に魚が掛かった際には、釣り人が魚を釣り上げるときの手応えを十分に感じることができるという効果を有し、川や海で、道糸に取り付けられた仕掛けをポイントに投入して魚釣りを楽しむための魚釣り装置等に有用である。
【符号の説明】
【００３０】
１１  浮体
１２  バッテリ
１３  モータ
１４  道糸係脱機構
１５  タイマー
１６  制御回路
１７  ウイング
１８  ラダー
１９  スクリュー
２０  支軸
２１  フック部材
２１ａ  フック部
２２  回動付勢機構
Ｋ  浮体回収糸
Ｍ  道糸
【図１】
0003196066.tif 000003
【図２】
0003196066.tif 000004
【図３】
0003196066.tif 000005